Podtech/llm-jp-corpus-v4-ja_patent huggingface dataset:
(57)【要約】  本発明は、複数の利用分野において使用され得る２，３，３，３−テトラフルオロプロペン及び１，２−ジフルオロエチレンを含有する組成物に関する。【選択図】なし【特許請求の範囲】
【請求項１】
化合物２，３，３，３−テトラフルオロプロペンと１，２−ジフルオロエチレンを含む共沸又は共沸様組成物。
【請求項２】
４５−９０モル％の２，３，３，３−テトラフルオロプロペン、及び５５−１０モル％の１，２−ジフルオロエチレンを含むか、好ましくはこれらから本質的になることを特徴とする、請求項１に記載の組成物。
【請求項３】
５５−８０モル％の２，３，３，３−テトラフルオロプロペン、及び４５−２０モル％の１，２−ジフルオロエチレンを含むか、好ましくはこれらから本質的になることを特徴とする、請求項１又は請求項２に記載の組成物。
【請求項４】
−３０℃から５６℃の温度、及び１から１５ｂａｒの圧力で、６２−６９モル％の２，３，３，３−テトラフルオロプロペンと、３８−３１モル％の１，２−ジフルオロエチレンとを含むか、好ましくはこれらから本質的になることを特徴とする、請求項１から３の何れか一項に記載の組成物。
【請求項５】
少なくともフッ化水素を含むことを特徴とする、請求項１から４の何れか一項に記載の組成物。
【請求項６】
１０−５５モル％のＨＦ、３０−７５モル％の２，３，３，３−テトラフルオロプロペン、及び１５−４０モル％の１，２−ジフルオロエチレンを含むか、好ましくはこれらから本質的になることを特徴とする、請求項１から５の何れか一項に記載の組成物。
【発明の詳細な説明】
【技術分野】
【０００１】
本発明は、多くの利用分野で有用な２，３，３，３-テトラフルオロプロペン及び１，２-ジフルオロエチレンを含む組成物に関する。
【０００２】
ハロゲン化炭素系流体は、特に伝熱流体、噴射剤、発泡剤、膨張剤、ガス誘電体、モノマー又は重合媒質、支持流体、研磨剤、乾燥剤、及びエネルギー生成装置用流体として、様々な産業分野で多くの用途がこのように見出されている。
【０００３】
特に重視されているのが、環境に与える影響が少ない流体である。
【０００４】
共沸又は共沸様流体を使用することの利点は、共沸又は共沸様流体が蒸発プロセス中に分別せず、（ほとんど）純物質として作用することである。しかし、共沸は予測され得ないため、これらの特性を満たす新規の流体を同定することは困難である。
【発明の概要】
【０００５】
本発明の主題は、化合物２，３，３，３−テトラフルオロプロペン及び１，２−ジフルオロエチレンを含む共沸又は共沸様組成物である。
【０００６】
下記では、以下の化合物を次のように表す：
-  ２，３，３，３−テトラフルオロプロペン：  ＨＦＯ−１２３４ｙｆ、又は１２３４ｙｆ
-  １，２−ジフルオロエチレン：  ＨＦＯ−１１３２、又は１１３２
【０００７】
「共沸様（ｑｕａｓｉ−ａｚｅｏｔｒｏｐｉｃ）」という表現は、広い意味を有し、厳密に共沸性である組成物、及び共沸混合物として働く組成物を含むことが意図される。
【０００８】
混合物は、露点での圧力が沸点での圧力と等しい場合共沸混合物でありく、このことは蒸気組成が凝縮された液体の組成と等しいことを意味する。
【０００９】
混合物は、露点での圧力と沸点での圧力の差が沸点での圧力を基準として５％以下の場合、共沸様混合物であると考えられる。
【発明を実施するための形態】
【００１０】
一実施態様によれば、本発明による組成物は、４５−９０モル％の２，３，３，３−テトラフルオロプロペン、及び５５−１０モル％の１，２−ジフルオロエチレンを含むか、好ましくはこれらから本質的になる。
【００１１】
一実施態様によれば、本発明による組成物は、５５−８０モル％の２，３，３，３−テトラフルオロプロペン、及び４５−２０モル％の１，２−ジフルオロエチレンを含むか、好ましくはこれらから本質的になる。
【００１２】
特に好ましい一実施態様によれば、本発明による組成物は、−３０℃から５６℃の温度及び１から１５ｂａｒの圧力で、６２−６９モル％の２，３，３，３−テトラフルオロプロペン、及び３８−３１モル％の１，２−ジフルオロエチレンを含むか、好ましくはこれらから本質的になる。
【００１３】
別の実施態様によれば、本発明による組成物は、少なくともフッ化水素を含む。
【００１４】
一実施態様によれば、本発明による組成物は、１０−５５モル％のＨＦ、３０−７５モル％の２，３，３，３−テトラフルオロプロペン、及び１５−４０モル％の１，２−ジフルオロエチレンを含むか、好ましくはこれらから本質的になる。
【００１５】
また、本発明は、伝熱流体、噴射剤、発泡剤、膨張剤、ガス誘電体、モノマー又は重合媒質、支持流体、研磨剤、乾燥剤、及びエネルギー生成装置用流体としての本発明による組成物を含む流体の使用に関する。
【００１６】
好ましくは、本発明は、ヒートポンプ又は冷凍装置内の伝熱流体としての本発明による組成物を含む流体の使用に関する。
【００１７】
本発明は、伝熱流体としての本発明による組成物を含む流体を収容するか、又は上述の伝熱流体を収容する蒸気圧縮回路を含む伝熱装置にも関する。
【００１８】
一実施態様によれば、前記装置は、ヒートポンプを介する加熱用、空調用（特に自動車空調用若しくは据置型セントラル空調用）、冷蔵用又は冷凍用の移動式或いは据置式装置、及びランキンサイクルから選択されるが、好ましくは空調装置である。
【００１９】
本発明は、伝熱流体を収容する蒸気圧縮回路により流体又は物質を加温若しくは冷却するための方法にも関し、伝熱流体の蒸発、伝熱流体の圧縮、熱流体の凝縮、及び伝熱流体の膨張を順次含み、該方法において、伝熱流体は、本発明による組成物を含む流体である。
【００２０】
「伝熱流体」という表現は、蒸気圧縮回路において、低温低圧で蒸発することにより熱を吸収することができ、高温高圧で凝縮することにより熱を放出することができる流体を意味すると理解される。
【００２１】
伝熱流体は、任意選択的に、想定される用途のための伝熱化合物ではない一又は複数種の添加剤を含む。前記添加剤は、当業者にはよく知られているように、特に、潤滑剤、ナノ粒子、安定剤、界面活性剤、トレーサー、蛍光剤、臭気剤及び可溶化剤から選択され得る。
【００２２】
2016501978.tif 000002
2016501978.tif 000003
【国際調査報告】
2016501978.tif 000004
2016501978.tif 000005
2016501978.tif 000006
2016501978.tif 000007